(57)【要約】【課題】ピンによる木材木口に向けた割裂破壊や剪断破壊を有効的に防ぐことができ、しかも、それを簡易かつ低コストにて実現することができる木材接合部の補強構造等を提供する。【解決手段】例えば、木造建物の柱梁接合部において、木梁２の木口２ａが柱１の側面と対面し、ピン３が該木口２ａよりも基端側の位置で梁２と直交する方向に向けられて梁２の肉内に通され、該ピン３を柱１側からの梁２の抜けを阻止する抜止め材としている柱梁接合部において、ビス７…又は釘が、梁２の木口２ａとピン３との間の位置でピン３及び梁２と直交する方向に向けられて梁２の肉内に打ち込まれ、該ビス７…又は釘が、ピン３を挟む一方の側の梁の肉部ともう一方の側の梁の肉部とにわたされている。【選択図】      図１
2007092418.tif 000002
【特許請求の範囲】
【請求項１】
木材の木口が接合側と対面し、ピンが該木口よりも基端側の位置で木材と直交する方向に向けられて木材の肉内に通され、該ピンを接合側からの該木材の抜けを阻止する抜止め材としている木材接合部において、ビス又は釘が、木材の木口とピンとの間の位置でピン及び木材と直交する方向に向けられて木材の肉内に打ち込まれ、該ビス又は釘が、ピンを挟む一方の側の木材肉部ともう一方の側の木材肉部とにわたされていることを特徴とする木材接合部の補強構造。
【請求項２】
木材の木口よりも基端側に位置して、木口方向に向く引張り力が作用するピンが、木材と直交する方向に向けられて木材の肉内に通されるようになされた木材木口部において、ビス又は釘が、木材の木口とピンとの間の位置でピン及び木材と直交する方向に向けられて木材の肉内に打ち込まれ、該ビス又は釘が、ピンを挟む一方の側の木材肉部ともう一方の側の木材肉部とにわたされていることを特徴とする木材木口部の補強構造。
【発明の詳細な説明】
【技術分野】
【０００１】
本発明は、木造軸組構造の建物などに用いられる木材接合部の補強構造及び木材木口部の補強構造に関する。
【背景技術】
【０００２】
例えば、木造軸組構造において、図５（イ）に示すように、接合側である木柱１の側面部に対し木梁２の端面木口２ａを対面させるようにして梁２を柱１に接合する構造として、ピン３，３を梁２の木口２ａよりも基端側の位置で梁２と直交する水平方向に向けて梁２の肉内に通すと共に、柱１に梁２と反対の側からネジ棒４，４を貫通し、該ネジ棒４，４の先端部を梁２の木口２ａを通じて梁２の肉内に通してピン３，３と螺合し、ネジ棒４，４の基端部に螺合したナット５，５を締め込んで梁２を柱１側に引き寄せた状態にすることで接合するようにしたものは、従来より知られている。
【発明の開示】
【発明が解決しようとする課題】
【０００３】
しかしながら、上記のような接合構造では、例えば、図５（ロ）（ハ）に示すように、地震等による水平力が作用し、ネジ棒４が引っ張られると、梁２の抜けを阻止しようとする側のピン３に沿う木口２ａに向かう濃く示す部分６において、割裂破壊や剪断破壊を生じるおそれがある。特に、木梁２の場合には、繊維が木口２ａと直交する方向に延びているため、そのような破壊を生じやすい。
【０００４】
本発明は、上記のような問題点に鑑み、ピンによる木材木口に向けた割裂破壊や剪断破壊を有効的に防ぐことができ、しかも、それを簡易かつ低コストにて実現することができる木材接合部の補強構造及び木材木口部の補強構造を提供することを課題とする。
【課題を解決するための手段】
【０００５】
上記の課題は、木材の木口が接合側と対面し、ピンが該木口よりも基端側の位置で木材と直交する方向に向けられて木材の肉内に通され、該ピンを接合側からの該木材の抜けを阻止する抜止め材としている木材接合部において、ビス又は釘が、木材の木口とピンとの間の位置でピン及び木材と直交する方向に向けられて木材の肉内に打ち込まれ、該ビス又は釘が、ピンを挟む一方の側の木材肉部ともう一方の側の木材肉部とにわたされていることを特徴とする木材接合部の補強構造によって解決される（第１発明）。
【０００６】
この補強構造では、木材に接合側から抜けようとする力が働いて、ピンがその抜けを阻止するように働くと、ピンに沿う木口に向かう部分の木材肉部に割裂破壊や剪断破壊を起こそうとする力が働くが、その部分には、ビス又は釘がピンを挟む一方の側の木材肉部ともう一方の側の木材肉部とにわたすように通されているので、該ビス又は釘が、上記のピンに沿う木口に向かう部分の木材肉部に割裂破壊や剪断破壊を生じるのを阻止するように働き、割裂破壊や剪断破壊の発生を有効的に防ぐことができる。
【０００７】
しかも、木材の肉部にビス又は釘を打ち込むだけでそれを実現でき、割裂破壊や剪断破壊の発生を簡易にかつ低コストにて防ぐことができる。
【０００８】
また、上記の課題は、木材の木口よりも基端側に位置して、木口方向に向く引張り力が作用するピンが、木材と直交する方向に向けられて木材の肉内に通されるようになされた木材木口部において、ビス又は釘が、木材の木口とピンとの間の位置でピン及び木材と直交する方向に向けられて木材の肉内に打ち込まれ、該ビス又は釘が、ピンを挟む一方の側の木材肉部ともう一方の側の木材肉部とにわたされていることを特徴とする木材木口部の補強構造によって同様に解決される（第２発明）。第２発明では、木材の木口が接合側と対面するか否か、また、木材が接合側に接合されるかどうかを問わない。
【発明の効果】
【０００９】
本発明は、以上のとおりのものであるから、抜止め用のピンによる木材木口に向けた割裂破壊や剪断破壊を有効的に防ぐことができ、しかも、それを簡易かつ低コストにて実現することができる。
【発明を実施するための最良の形態】
【００１０】
次に、本発明の実施最良形態を図面に基づいて説明する。
【００１１】
図１に示す第１実施形態の補強構造は、木造軸組構造における柱梁接合部に用いた場合のもので、基本構造は、図５に示す従来のものと同じであり、この接合構造において、本実施形態では、図１に示すように、ビス７…が、木材としての木梁２の木口２ａとピン３，３との間の位置でピン３，３及び木梁２と直交する方向に向けられて木梁２の肉内に打ち込まれて、ピン３を挟む一方の側の木梁肉部ともう一方の側の木梁肉部とにわたされている。
【００１２】
この補強構造によれば、図２（イ）（ロ）に示すように、地震等による水平力が作用し、木梁２の端部のネジ棒４が引っ張られ、ピン３が木梁２の抜けを阻止するように働くと、その部分には、ビス７…がピン３を挟む一方の側の木梁肉部ともう一方の側の木梁肉部とにわたすように通されているので、該ビス７…が、ピン３に沿う木口２ａに向かう濃く示す部分６の木梁肉部に割裂破壊や剪断破壊を生じるのを阻止するように働き、割裂破壊や剪断破壊の発生が防がれる。
【００１３】
このように、上記の補強構造は、ピン３，３による木梁端部の割裂破壊や剪断破壊を木梁２にビス７…を打つだけで防ぐことができ、補強を簡易にかつ低コストにて行うことができると共に、既設の柱梁接合部に対する補強も簡易にかつ低コストにて行うことができる。
【００１４】
図３に示す第２実施形態の補強構造は、木製土台８と木柱９との接合部に用いた場合のもので、土台８と木柱９とは、土台８の上面に木材としての木柱９の下端の木口９ａを対面させ、木柱９の下端木口９ａを介して木柱９の肉内及び土台８の肉内にホゾパイプ１０がわたされ、柱９の下端木口９ａよりも基端側、即ち上側の位置で柱９と直交する水平方向に向けて柱９の肉内にホゾパイプ１０を貫通するようにピン３が通され、土台８にも、ホゾパイプ１０を貫通するようにピン１１が通されて、柱９と土台８とが接合されている。
【００１５】
そして、この柱・土台接合部において、ビス７…が、木柱９の木口９ａと柱側のピン３との間の位置で該ピン３及び木柱９と直交する方向に向けられて木柱９の肉内に打ち込まれ、柱側のピン３を挟む一方の側の木柱肉部ともう一方の側の木柱肉部とにわたされている。
【００１６】
この補強構造によれば、図４（イ）（ロ）に示すように、地震等による水平力が作用し、ホゾパイプ１０が引っ張られ、柱側のピン３が木柱９の抜けを阻止するように働くと、その部分には、ビス７がピン３を挟む一方の側の木柱肉部ともう一方の側の木柱肉部とにわたすように通されているので、該ビス７が、ピン３に沿う木口９ａに向かう濃く示す部分６の木柱肉部に割裂破壊や剪断破壊を生じるのを阻止するように働き、割裂破壊や剪断破壊の発生が防がれる。
【００１７】
このように、上記の補強構造によっても、ピン３による木柱９の端部の割裂破壊や剪断破壊を木柱９にビス７…を打つだけで防ぐことができ、補強を簡易にかつ低コストにて行うことができる。
【００１８】
以上に、本発明の実施形態を示したが、本発明はこれに限られるものではなく、発明思想を逸脱しない範囲で各種の変更が可能である。例えば、上記の実施形態では、補強に、ビス７を用いた場合を示しているが、釘であってもよいし、ビスや釘に類するものであってもよい。
【００１９】
また、上記の実施形態では、木梁２と木柱９を木材とした場合を示したが、本発明の補強構造は、木梁２や木柱９に限らず、木材の木口を接合側と対面させ、木材の肉内に木材と直交するように通したピンで接合側からの木材の抜けを阻止するようになされた各種接合部の木材の補強に広く用いることができるものである。
【００２０】
更に、「木材」の語は、本来の木材のようにピンで割裂破壊や剪断破壊が生じうるような各種材質の材を含む意味において用いられており、木粉混合樹脂材や樹脂材等を含み、要は、本発明は、ピンによって木口に向けた割裂破壊や剪断破壊を生じうるような材の木口部分の補強に広く用いることができるものである。
【図面の簡単な説明】
【００２１】
【図１】第１実施形態の補強構造を示すもので、図（イ）は正面図、図（ロ）は断面平面図、図（ハ）は断面斜視図である。
【図２】図（イ）及び図（ロ）はそれぞれ作動状態を示す正面図である。
【図３】第２実施形態の補強構造を示すもので、図（イ）は正面図、図（ロ）は断面側面図、図（ハ）は断面平面図、図（ニ）は断面斜視図である。
【図４】図（イ）及び図（ロ）はそれぞれ作動状態を示す正面図である。
【図５】従来例を示すもので、図（イ）は柱梁接合部の正面図、図（ロ）及び図（ハ）は接合部の挙動を示す正面図である。
【符号の説明】
【００２２】
２…梁（木材）
２ａ…木口
３…ピン
７…ビス
９…柱（木材）
９ａ…木口
【図１】
2007092418.tif 000003
【図２】
2007092418.tif 000004
【図３】
2007092418.tif 000005
【図４】
2007092418.tif 000006
【図５】
2007092418.tif 000007